(57)【要約】      （修正有）【課題】箱体の内部空間を仕切ることができると共に、箱体に収容したままで１つの内部空間を構成する仕切部材を提供する。【解決手段】仕切部材３は、トレイ２の内部にて立設される支持壁２３を含む胴枠２０と、支持壁２３に連設された仕切壁３０と、を備え、仕切壁３０には、支持壁２３の側にて互いに平行に間隔をあけて複数の仕切折曲線Ｌ７、Ｌ８が形成され、且つ仕切方向の先端側にて調整折返線Ｌ１０が仕切折曲線Ｌ７、Ｌ８と平行に形成され、仕切壁３０は、胴枠２０に沿って重ねられた退避姿勢Ｐ１と、複数の仕切折曲線Ｌ７、Ｌ８のいずれか１つに沿って折り曲げられることで内部空間を仕切る仕切姿勢Ｐ２と、の間で姿勢変更され、仕切壁３０は、何れの仕切折曲線Ｌ７、Ｌ８に沿って折り曲げられたとしても、仕切姿勢Ｐ２での仕切方向の寸法がトレイ２の仕切方向の寸法に対応するように、調整折返線Ｌ１０に沿って折り返される。【選択図】図５
0003222571.tif 000002
【実用新案登録請求の範囲】
【請求項１】
箱体（２，６）の内部空間（Ｓ）を仕切る仕切部材（３，７）であって、
前記箱体の内部にて立設される支持壁（２３）を含む胴枠（２０）と、
前記支持壁に連設された少なくとも１つの仕切壁（３０）と、を備え、
前記仕切壁には、前記支持壁の側にて互いに平行に間隔をあけて複数の前記仕切折曲線（Ｌ７，Ｌ８）が形成され、且つ前記支持壁から離間するように延びる仕切方向の先端側にて１つ以上の調整折返線（Ｌ１０）が前記仕切折曲線と平行に形成され、
前記仕切壁は、前記胴枠に沿って重ねられた退避姿勢（Ｐ１）と、複数の前記仕切折曲線のいずれか１つに沿って折り曲げられることで仕切方向に延設されて前記箱体の前記内部空間を仕切る仕切姿勢（Ｐ２）と、の間で姿勢変更され、
前記仕切壁は、何れの前記仕切折曲線に沿って折り曲げられたとしても、前記仕切姿勢での仕切方向の寸法が前記箱体の仕切方向の寸法に対応するように、前記調整折返線に沿って折り返されることを特徴とする仕切部材。
【請求項２】
前記仕切壁には、前記調整折返線に沿って折り返した状態を保持するための折返保持構造（３４，３５）が設けられたことを特徴とする請求項１に記載の仕切部材。
【請求項３】
前記胴枠は、
前記箱体の仕切方向に交差する幅方向に延びた内面に沿って立設される本体壁（２１）と、
前記本体壁に対して折り返されて対向配置される前記支持壁（２３）と、を含み、
２つの前記仕切壁は、前記支持壁の幅方向の両端部に連設されたことを特徴とする請求項１または２に記載の仕切部材。
【請求項４】
前記胴枠は、
前記箱体の底面上に立設される本体壁（２１）と、
前記本体壁に対して折り返されて前記本体壁の両面に対向配置される一対の前記支持壁（２３）と、を含み、
複数の前記仕切壁は、各々の前記支持壁の仕切方向に交差する幅方向の一端部または両端部に連設されたことを特徴とする請求項１または２に記載の仕切部材。
【請求項５】
前記胴枠は、前記本体壁の幅方向の一端部または両端部に連設され、前記箱体の仕切方向に延びた内面に沿って立設される１つまたは一対の袖壁（２２）を含むことを特徴とする請求項３または４に記載の仕切部材。
【請求項６】
請求項１ないし５のいずれかに記載の仕切部材（３，７）と、
前記仕切部材によって内部空間（Ｓ）を仕切られる箱体（２，６）と、を備え、
前記箱体は、底壁（１０）の周縁部に周壁（２Ｗ，６Ｗ）を立設させたトレイであり、
前記周壁には、前記仕切姿勢になった前記仕切壁の仕切方向の先端部が係合する係合溝（１７）が１つ以上形成されたことを特徴とする仕切付き収容体。
【請求項７】
請求項１ないし５のいずれかに記載の仕切部材（３）と、
前記仕切部材によって内部空間（Ｓ）を仕切られる箱体（２）と、を備え、
前記箱体は、底壁（１０）の周縁部に周壁（２Ｗ）を立設させたトレイであり、
前記胴枠には、その上端から上方に向かって連結凸部（２５Ａ，２５Ｂ）が突設され、
前記底壁には、前記仕切付き収容体を上下に積み重ねた場合に、下方に位置する前記仕切付き収容体の前記連結凸部が係合する連結穴（１８Ａ，１８Ｂ）が穿設されたことを特徴とする仕切付き収容体。
【考案の詳細な説明】
【技術分野】
【０００１】
本考案は、箱体の内部空間を仕切る仕切部材およびこれを備えた仕切付き収容体に関する。
【背景技術】
【０００２】
特許文献１に記載の仕切り付き箱体は、箱体に収納される仕切りを有している。仕切りは、立設部から連設された複数の枠構成部と、枠構成部を立設部に固定するための複数の固定部と、を有している。立設部は、正面板部と、正面板部の上辺に折れ線を介して連設された背面板部と、を有している。枠構成部は、３つの板状部が一列に配設されている。各枠構成部の隣接する板状部間の境界位置を立設部側に押し込むことにより、少なくとも１つの板状部が立設部と重なった状態となり、小間の数や大きさが変更される。
【先行技術文献】
【特許文献】
【０００３】
【特許文献１】実用新案登録第３１９３４６１号公報
【考案の概要】
【考案が解決しようとする課題】
【０００４】
しかしながら、上記した仕切り付き箱体では、箱体の内部を仕切る必要が無い場合、仕切りを箱体から取り出さなければならなかった。つまり、仕切りを箱体に収納したままでは、仕切られていない１つの内部空間を構成することはできなかった。
【０００５】
本考案は、上記課題を解決するために、箱体の内部空間を仕切ることができると共に、箱体に収容したままで１つの内部空間を構成することができる仕切部材およびこれを備えた仕切付き収容体を提供する。
【課題を解決するための手段】
【０００６】
上記した目的を達成するため、本考案は、箱体の内部空間を仕切る仕切部材であって、前記箱体の内部にて立設される支持壁を含む胴枠と、前記支持壁に連設された少なくとも１つの仕切壁と、を備え、前記仕切壁には、前記支持壁の側にて互いに平行に間隔をあけて複数の前記仕切折曲線が形成され、且つ前記支持壁から離間するように延びる仕切方向の先端側にて１つ以上の調整折返線が前記仕切折曲線と平行に形成され、前記仕切壁は、前記胴枠に沿って重ねられた退避姿勢と、複数の前記仕切折曲線のいずれか１つに沿って折り曲げられることで仕切方向に延設されて前記箱体の前記内部空間を仕切る仕切姿勢と、の間で姿勢変更され、前記仕切壁は、何れの前記仕切折曲線に沿って折り曲げられたとしても、前記仕切姿勢での仕切方向の寸法が前記箱体の仕切方向の寸法に対応するように、前記調整折返線に沿って折り返される。
【０００７】
この場合、前記仕切壁には、前記調整折返線に沿って折り返した状態を保持するための折返保持構造が設けられたことが好ましい。
【０００８】
この場合、前記胴枠は、前記箱体の仕切方向に交差する幅方向に延びた内面に沿って立設される本体壁と、前記本体壁に対して折り返されて対向配置される前記支持壁と、を含み、２つの前記仕切壁は、前記支持壁の幅方向の両端部に連設されたことが好ましい。
【０００９】
この場合、前記胴枠は、前記箱体の底面上に立設される本体壁と、前記本体壁に対して折り返されて前記本体壁の両面に対向配置される一対の前記支持壁と、を含み、複数の前記仕切壁は、各々の前記支持壁の仕切方向に交差する幅方向の一端部または両端部に連設されたことが好ましい。
【００１０】
この場合、前記胴枠は、前記本体壁の幅方向の一端部または両端部に連設され、前記箱体の仕切方向に延びた内面に沿って立設される１つまたは一対の袖壁を含むことが好ましい。
【００１１】
上記した目的を達成するため、本考案の仕切付き収容体は、上記のいずれかに記載の仕切部材と、前記仕切部材によって内部空間を仕切られる箱体と、を備え、前記箱体は、底壁の周縁部に周壁を立設させたトレイであり、前記周壁には、前記仕切姿勢になった前記仕切壁の仕切方向の先端部が係合する係合溝が１つ以上形成された。
【００１２】
上記した目的を達成するため、本考案の仕切付き収容体は、上記のいずれかに記載の仕切部材と、前記仕切部材によって内部空間を仕切られる箱体と、を備え、前記箱体は、底壁の周縁部に周壁を立設させたトレイであり、前記胴枠には、その上端から上方に向かって連結凸部が突設され、前記底壁には、前記仕切付き収容体を上下に積み重ねた場合に、下方に位置する前記仕切付き収容体の前記連結凸部が係合する連結穴が穿設された。
【考案の効果】
【００１３】
本考案によれば、箱体の内部空間を仕切ることができると共に、箱体に収容したままで１つの内部空間を構成することができる。
【図面の簡単な説明】
【００１４】
【図１】本考案の第１実施形態に係る仕切付き収容体を示す斜視図である。
【図２】本考案の第１実施形態に係る仕切付き収容体を示す分解斜視図である。
【図３】本考案の第１実施形態に係るトレイのブランクを示す平面図である。
【図４】本考案の第１実施形態に係る仕切部材のブランクを示す平面図である。
【図５】本考案の第１実施形態に係る仕切付き収容体であって、トレイの内部空間を２つの小間に分割にした状態を示す斜視図である。
【図６】本考案の第１実施形態に係る仕切付き収容体であって、トレイの内部空間を３つの小間に分割にした状態を示す斜視図である。
【図７】本考案の第１実施形態に係る仕切付き収容体を２つ積み重ねた状態を示す斜視図である。
【図８】本考案の第２実施形態に係る仕切付き収容体を示す斜視図である。
【図９】本考案の第２実施形態に係る仕切部材を示す斜視図である。
【図１０】本考案の第２実施形態に係る仕切部材のブランクを示す平面図である。
【考案を実施するための形態】
【００１５】
以下、添付の図面を参照しつつ、本考案の実施形態について説明する。なお、図面に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、前後方向（仕切方向）は左右方向（幅方向）に直交（交差）し、上下方向は前後方向と左右方向とに直交している。本明細書では方向や位置を示す用語を用いるが、それらの用語は説明の便宜のために用いるものであって、本考案の技術的範囲を限定するものではない。
【００１６】
［第１実施形態：仕切付き収容体の概要］
図１ないし図４を参照して、仕切付き収容体１の構成について説明する。図１は仕切付き収容体１を示す斜視図である。図２は仕切付き収容体１を示す分解斜視図である。図３はトレイ２のブランク２Ａを示す平面図である。図４は仕切部材３のブランク３Ａを示す平面図である。
【００１７】
図１および図２に示すように、仕切付き収容体１は、底壁１０の周縁部に周壁２Ｗを立設させたトレイ２と、トレイ２の内部に配置された仕切部材３と、を備えている。箱体の一例としてのトレイ２は、上面を開口させた背の低い略直方体状に形成されている。仕切部材３は、トレイ２の内部空間Ｓを仕切るものである。
【００１８】
トレイ２は図３に示すブランク２Ａから組み立てられ、仕切部材３は図４に示すブランク３Ａから組み立てられる。これらのブランク２Ａ，３Ａは、それぞれ、波状の中しん９Ａの表裏に表ライナ９Ｂと裏ライナ９Ｃ（図２等参照）とを貼り合せた両面段ボールシート（紙製）で形成されている。これらのブランク２Ａ，３Ａは、段ボールシートを抜型等で打ち抜いて形成される。なお、図面では、段ボールシートの表ライナ９Ｂ側を示している。また、図面に示す「Ｘ」は段ボールシートの中しん９Ａが延びた「段方向」を示し、「Ｙ」は段方向に直交した「流れ方向」を示している。
【００１９】
［トレイのブランク］
図３に示すように、トレイ２のブランク２Ａは、底壁１０と、一対の側壁１１と、４つの折込壁１２と、正面壁１３と、背面壁１４と、を備えている。詳細は後述するが、一対の側壁１１、正面壁１３および背面壁１４は、底壁１０の周縁部に立設される周壁２Ｗを構成する。
【００２０】
＜底壁、側壁、折込壁＞
底壁１０は、流れ方向（仕切方向）の寸法よりも段方向（幅方向）の寸法が長い略長方形状に形成されている。一対の側壁１１は、第１折曲線Ｌ１を介して底壁１０の段方向の両端部に連設されている。各側壁１１は略長方形状に形成され、その段方向の寸法（突出し寸法）は底壁１０の段方向の寸法よりも十分に短く設定されている。４つの折込壁１２は、第２折曲線Ｌ２を介して一対の側壁１１の流れ方向の両端部に連設されている。各折込壁１２は略正方形状に形成されている。
【００２１】
＜正面壁＞
正面壁１３は、前外壁１３Ａと、前額縁部１３Ｂと、前内壁１３Ｃと、を有している。
【００２２】
（前外壁、前額縁部）
前外壁１３Ａは、第３折曲線Ｌ３を介して底壁１０の流れ方向の一端部（前端部）に連設されている。前外壁１３Ａは略長方形状に形成され、その流れ方向の寸法（突出し寸法）は側壁１１の突出し寸法と略同一である。前額縁部１３Ｂは、第４折曲線Ｌ４を介して前外壁１３Ａの先端部に連設されている。前額縁部１３Ｂは、前外壁１３Ａよりも僅かに段方向に短い略長方形状に形成されている。前額縁部１３Ｂの突出し寸法は、段ボールシートの厚みよりも僅かに長く設定されている。
【００２３】
（前内壁）
前内壁１３Ｃは、第４折曲線Ｌ４を介して前額縁部１３Ｂの先端部に連設されている。つまり、前内壁１３Ｃは、２本の第４折曲線Ｌ４（または前額縁部１３Ｂ）を介して前外壁１３Ａに連設されている。前内壁１３Ｃは略長方形状に形成され、前額縁部１３Ｂの突出し寸法は前外壁１３Ａの突出し寸法と略同一である。前内壁１３Ｃの先端の段方向両側には、一対の前方ロック突起１５Ａが突設されている。
【００２４】
（係合溝）
前額縁部１３Ｂと前内壁１３Ｃと（周壁２Ｗ）には、３つの係合溝１７が形成されている。３つの係合溝１７は、前内壁１３Ｃ等の段方向の中央領域において等間隔に並設されている。各係合溝１７は、前額縁部１３Ｂを流れ方向に横断し、前内壁１３Ｃの基端から先端付近まで延びた溝（穴）である。各係合溝１７は、前額縁部１３Ｂでの開口部よりも前内壁１３Ｃでの開口部の方が細く形成されている。また、各係合溝１７は、幅の異なる開口部を繋ぐように、前額縁部１３Ｂと前内壁１３Ｃの境界から前内壁１３Ｃの先端に向かって細くなるテーパー部を有している。詳細は後述するが、係合溝１７には、仕切部材３の仕切壁３０の前端部（仕切方向の先端部）が係合（嵌合）する。
【００２５】
＜背面壁＞
背面壁１４は、後外壁１４Ａと、後額縁部１４Ｂと、後内壁１４Ｃと、を有している。
【００２６】
後外壁１４Ａは、第３折曲線Ｌ３を介して底壁１０の流れ方向の他端部（後端部）に連設されている。後外壁１４Ａは、前外壁１３Ａと略同一形状に形成されている。後額縁部１４Ｂは第４折曲線Ｌ４を介して後外壁１４Ａの先端部に連設され、後内壁１４Ｃは第４折曲線Ｌ４を介して後額縁部１４Ｂの先端部に連設されている。後額縁部１４Ｂおよび後内壁１４Ｃは、後外壁１４Ａと段方向に同一幅となる略長方形状に形成されている。後額縁部１４Ｂの突出し寸法は前額縁部１３Ｂの突出し寸法と同一であり、後内壁１４Ｃの突出し寸法は前内壁１３Ｃの突出し寸法と同一である。後内壁１４Ｃの先端の段方向両側には、一対の後方ロック突起１５Ｂが突設されている。なお、後額縁部１４Ｂおよび後内壁１４Ｃには係合溝１７が形成されていないが、これに限らず、正面壁１３と同様に、係合溝１７が後額縁部１４Ｂおよび後内壁１４Ｃに形成されてもよい（図示せず）。
【００２７】
＜ロック穴、連結穴＞
また、底壁１０には、前外壁１３Ａとの境界の第３折曲線Ｌ３に沿って一対の前方ロック穴１６Ａが穿設され、後外壁１４Ａとの境界の第３折曲線Ｌ３に沿って一対の後方ロック穴１６Ｂが穿設されている。前方および後方ロック穴１６Ａ，１６Ｂは、上記した前方および後方ロック突起１５Ａ，１５Ｂと段方向にて同一位置に開口している。また、底壁１０には、一対の第１折曲線Ｌ１に沿って（正確には僅かに側壁１１に突き出すように）一対の側方連結穴１８Ａが穿設されている。一対の側方連結穴１８Ａは、底壁１０の流れ方向中央よりも正面壁１３の側に開口している。さらに、底壁１０には、後外壁１４Ａとの境界の第３折曲線Ｌ３から中央側に離れた位置に一対の後方連結穴１８Ｂが穿設されている。一対の後方連結穴１８Ｂは、一対の後方ロック穴１６Ｂの間の領域に開口している。
【００２８】
なお、第１折曲線Ｌ１は、段ボールシートを裏ライナ９Ｃ側から直線状に凹ませた汎用罫線である。また、第２〜第４折曲線Ｌ２〜Ｌ４は、それぞれ、汎用罫線上に間隔をあけて複数の切目を入れたリード罫である。これらの第１〜第４折曲線Ｌ１〜Ｌ４は、汎用罫線やリード罫に限らず、段ボールシートを折り曲げるための線であれば如何なるものでもよい。
【００２９】
［トレイのブランク］
図４に示すように、仕切部材３のブランク３Ａは、胴枠２０と、２つの仕切壁３０と、を備えている。
【００３０】
＜胴枠＞
胴枠２０は、本体壁２１と、一対の袖壁２２と、支持壁２３と、を有している。
【００３１】
（本体壁）
本体壁２１は、段方向（上下方向）の寸法よりも流れ方向（幅方向）の寸法が長い略長方形状に形成されている。本体壁２１の流れ方向の寸法は、トレイ２の底壁１０の段方向の寸法よりも若干短く設定されている。本体壁２１の段方向の一端（自由端）には、一対の後方逃し凹部２４Ｂが凹設されている。一対の後方逃し凹部２４Ｂは、仕切部材３をトレイ２に収容した状態において、上記した一対の後方連結穴１８Ｂに略一致する位置に形成されている。また、本体壁２１の段方向の他端（後述する仕切壁３０の側）には、一対の後方連結凸部２５Ｂが突設されている。一対の後方連結凸部２５Ｂは、一対の後方逃し凹部２４Ｂと流れ方向にて同一位置に形成されている。なお、各後方連結凸部２５Ｂは、後述する仕切壁３０の一部を略Ｕ字状に切り取ることで形成される。
【００３２】
（袖壁）
一対の袖壁２２は、外枠折曲線Ｌ５を介して本体壁２１の流れ方向の両端部に連設されている。各袖壁２２は略五角形状に形成されており、一対の袖壁２２は本体壁２１を中心として対称に配置されている。一対の袖壁２２の流れ方向の両外端は、段方向の中央側から自由端に向かって流れ方向の外側に傾斜している。また、一対の袖壁２２の流れ方向の両外端のうち段方向の自由端側には、外枠折曲線Ｌ５と略平行を成す当接端部２６が形成されている。各袖壁２２の流れ方向の最大寸法は、トレイ２の底壁１０の流れ方向の寸法よりも若干短く設定されている。各袖壁２２の段方向の一端（自由端）には、側方逃し凹部２４Ａが凹設されている。各側方逃し凹部２４Ａは、仕切部材３をトレイ２に収容した状態において、上記した側方連結穴１８Ａに略一致する位置に形成されている。また、各袖壁２２の段方向の他端には、側方連結凸部２５Ａが、側方逃し凹部２４Ａと流れ方向にて同一位置に突設されている。
【００３３】
（支持壁）
支持壁２３は、２本の折返線Ｌ６を介して本体壁２１の段方向の他端部に連設されている。正確には、支持壁２３は、一対の後方連結凸部２５Ｂの間で、図４で右側の後方連結凸部２５Ｂの近傍にて本体壁２１に連設されている。支持壁２３は、流れ方向（幅方向）の寸法よりも段方向（上下方向）の寸法が長い略長方形状に形成されている。支持壁２３の段方向の寸法は、本体壁２１の段方向の寸法と略同一である。なお、２本の折返線Ｌ６の間には、仕切額縁部２７が設けられている。
【００３４】
＜仕切壁＞
２つの仕切壁３０は、仕切折曲線Ｌ７を介して支持壁２３の流れ方向の両端部に連設されている。また、２つの仕切壁３０は、複数の切断線ＣＬを介して本体壁２１および各袖壁２２の段方向の他端部に隣接している。正確には、隣接する切断線ＣＬ同士の間には繋ぎ部ＣＰが形成されているため、２つの仕切壁３０は、複数の繋ぎ部ＣＰを介して本体壁２１および各袖壁２２に接続されている。２つの仕切壁３０は、全体的に、切断線ＣＬを中心にして一対の袖壁２２を反転させたような形状を成している。２つの仕切壁３０の流れ方向の両外端は、一対の袖壁２２の流れ方向の両外端よりも内側に位置している。各仕切壁３０の段方向の寸法は、支持壁２３（胴枠２０）の段方向の寸法と略同一である。２つの仕切壁３０の流れ方向の寸法は、互いに異なっている。なお、本明細書では、図４において、左側の仕切壁３０を「第１仕切壁３０Ａ」と呼び、右側の仕切壁３０を「第２仕切壁３０Ｂ」と呼ぶこととする。また、第１仕切壁３０Ａと第２仕切壁３０Ｂとで共通する説明では、単に「仕切壁３０」と呼ぶこととする。
【００３５】
＜第１仕切壁＞
第１仕切壁３０Ａは、第２仕切壁３０Ｂよりも流れ方向に長く形成されている。第１仕切壁３０Ａは、全体として袖壁２２に近似した略五角形状に形成されている。第１仕切壁３０Ａの流れ方向の最大寸法は、袖壁２２の流れ方向の最大寸法（トレイ２の底壁１０の流れ方向の寸法）よりも長く設定されている。第１仕切壁３０Ａは、第１基端調整部３１と、第１仕切本体部３２と、第１先端調整部３３と、を含んでいる。なお、第１仕切壁３０Ａと支持壁２３との境界（仕切折曲線Ｌ７）が、ブランク３Ａの流れ方向の略中央になっている。
【００３６】
（第１基端調整部）
第１基端調整部３１は、仕切折曲線Ｌ７を介して支持壁２３に連設されている。第１基端調整部３１は、支持壁２３と略同一となる長方形状に形成されている。なお、第１基端調整部３１を除いた第１仕切壁３０Ａの流れ方向の寸法は、袖壁２２の流れ方向の寸法と略同一である。
【００３７】
（第１仕切本体部）
第１仕切本体部３２は、第２の仕切折曲線Ｌ８を介して第１基端調整部３１に連設されている。すなわち、第１仕切壁３０Ａには、２本の仕切折曲線Ｌ７，Ｌ８が互いに平行に間隔をあけて形成されている。第１仕切本体部３２は略長方形状に形成され、その流れ方向の寸法は第１基端調整部３１の流れ方向の寸法よりも十分に長く（約３倍）設定されている。また、第１仕切本体部３２の流れ方向の外側には、内枠折曲線Ｌ９が各仕切折曲線Ｌ７，Ｌ８と略平行に形成されている。内枠折曲線Ｌ９は、ブランク３Ａの状態にて外枠折曲線Ｌ５の形成位置よりも僅かに流れ方向の内側にずれた位置に設けられている。第１仕切本体部３２において内枠折曲線Ｌ９よりも流れ方向の外側（先端側）かつ段方向の自由端部には、略矩形状のロック凹部３４が凹設されている。また、第１仕切本体部３２において流れ方向の外端部（先端部）かつ段方向の自由端側には、第１係合凸部３６が突設されている。なお、各第１係合凸部３６は、後述する第１先端調整部３３の一部を略コ字状（Ｕ字状）に切り取ることで形成される。
【００３８】
（第１先端調整部）
第１先端調整部３３は、調整折返線Ｌ１０を介して第１仕切本体部３２に連設されている。調整折返線Ｌ１０は、各仕切折曲線Ｌ７，Ｌ８と略平行に形成されている。第１先端調整部３３は、袖壁２２の先端側と同様に、略五角形状に形成されている。第１先端調整部３３の段方向の自由端部には、ロック片部３５が形成されている。ロック片部３５は、第１先端調整部３３の自由端から一対の切目を入れることで形成されている。ロック片部３５は、２本のロック折曲線Ｌ１１を介して第１先端調整部３３に連設されている。ロック片部３５の先端部は、基端側よりも流れ方向に幅広いフック状に形成されている。第１先端調整部３３において流れ方向の外端部かつ段方向の自由端側には、第１調整係合凸部３７が突設されている。
【００３９】
＜第２仕切壁＞
第２仕切壁３０Ｂは、仕切折曲線Ｌ７を介して支持壁２３に連設されている。第２仕切壁３０Ｂは袖壁２２に近似した略五角形状に形成されており、その流れ方向の寸法は袖壁２２の流れ方向の寸法と略同一である。第２仕切壁３０Ｂの流れ方向の中間には、内枠折曲線Ｌ９が形成されている。第２仕切壁３０Ｂにおいて流れ方向の外端部かつ段方向の自由端側には、第２係合凸部３８が突設されている。
【００４０】
なお、折返線Ｌ６およびロック折曲線Ｌ１１は汎用罫線であり、外枠折曲線Ｌ５、仕切折曲線Ｌ７、第２の仕切折曲線Ｌ８、内枠折曲線Ｌ９および調整折返線Ｌ１０はリード罫である。これらの折曲線Ｌ５〜Ｌ１１は、汎用罫線やリード罫に限らず、段ボールシートを折り曲げるための線であれば如何なるものでもよい。
【００４１】
［仕切付き収容体の組立］
次に、図１、図２、図５および図６を参照して、仕切付き収容体１の組立工程の一例について説明する。図５はトレイ２の内部空間Ｓを２つの小間Ｓ１に分割にした状態を示す斜視図である。図６はトレイ２の内部空間Ｓを３つの小間Ｓ１に分割にした状態を示す斜視図である。
【００４２】
＜トレイの組立＞
トレイ２は、裏ライナ９Ｃを上方に向けたブランク２Ａを適宜折り曲げることで組み立てられる。なお、ここでは、一例として、作業者が仕切付き収容体１を組み立てる場合について説明する。
【００４３】
作業者は、一対の側壁１１を第１折曲線Ｌ１に沿って上方に折り曲げて起立させ、４つの折込壁１２を第２折曲線Ｌ２に沿って内側に折り曲げる。次に、作業者は、前外壁１３Ａを第３折曲線Ｌ３に沿って上方に折り曲げて起立させ、前額縁部１３Ｂおよび前内壁１３Ｃを２本の第４折曲線Ｌ４に沿って内側に折り返して各折込壁１２を包み込む。また、作業者は、前内壁１３Ｃの一対の前方ロック突起１５Ａを底壁１０の一対の前方ロック穴１６Ａに嵌合させる。これと同様に、作業者は、後外壁１４Ａを第３折曲線Ｌ３に沿って折り曲げ、後額縁部１４Ｂおよび後内壁１４Ｃを２本の第４折曲線Ｌ４に沿って折り返して各折込壁１２を包み込む。また、作業者は、後内壁１４Ｃの一対の後方ロック突起１５Ｂを底壁１０の一対の後方ロック穴１６Ｂに嵌合させる。この状態で、図２に示すように、正面壁１３と背面壁１４とが２重壁構造となり、底壁１０の前後両端部に立設される。また、正面壁１３と背面壁１４が各折込壁１２を内包することで、一対の側壁１１が底壁１０の左右両端部に立設される。つまり、一対の側壁１１と正面壁１３と背面壁１４とが、角筒状の周壁２Ｗを構成する。
【００４４】
以上によって、底壁１０の周縁部に周壁２Ｗが立設されたトレイ２が完成する。
【００４５】
＜仕切部材の組立およびトレイへの配置＞
まず、作業者は、ブランク３Ａを２つ折りにする。具体的には、作業者は、本体壁２１に対して支持壁２３を２本の折返線Ｌ６に沿って折り返し、支持壁２３を本体壁２１に対向配置させる（図２参照）。この際、一対の仕切壁３０は、複数の繋ぎ部ＣＰを切断しながら複数の切断線ＣＬに沿って折り返され、本体壁２１や各袖壁２２に対向配置される。各仕切壁３０が折り返される過程で、本体壁２１の各後方連結凸部２５Ｂは、仕切壁３０から刳り貫かれ、相対的に本体壁２１の上端から上方に向かって突設される（図２参照）。
【００４６】
この仕切部材３は、トレイ２の内部に立設されることで、トレイ２の内部空間Ｓを、２つまたは３つの小間Ｓ１に分割することができる。また、仕切部材３は、内部空間Ｓを小間Ｓ１に分割せず（仕切らず）に使用することもできる。
【００４７】
（内部空間を分割しない場合）
まず、内部空間Ｓを分割しない（仕切らない）場合について説明する。図２に示すように、作業者は、一対の袖壁２２を外枠折曲線Ｌ５に沿って前方に略直角に折り曲げる。この状態で、胴枠２０（本体壁２１と一対の袖壁２２）は、平面から見て略コ字状（Ｕ字状）に形成される。一対の袖壁２２の折り曲げに伴って、第１仕切壁３０Ａ（第１仕切本体部３２）と第２仕切壁３０Ｂとは、それぞれ内枠折曲線Ｌ９に沿って折り曲げられる。この状態で、各内枠折曲線Ｌ９は外枠折曲線Ｌ５に略一致するように重なり、２つの仕切壁３０は、平面から見て略Ｌ字状に屈曲し、胴枠２０に沿って重ねられた退避姿勢Ｐ１になる。つまり、仕切部材３は、全体的に略Ｕ字状に屈曲した状態になる。
【００４８】
次に、図１に示すように、作業者は、Ｕ字状に屈曲させた仕切部材３をトレイ２の内部に立設させる。詳細には、作業者は、背面壁１４から一対の側壁１１の内面に沿うように、仕切部材３を底壁１０上に配置する。本体壁２１は、トレイ２の背面壁１４の内面（仕切方向に交差する幅方向に延びた内面）に沿って立設され、一対の袖壁２２は、トレイ２の一対の側壁１１の内面（仕切方向に延びた内面）に沿って立設される。一対の袖壁２２の当接端部２６は、正面壁１３の内面（正確には折込壁１２の屈曲部分）に当接する。
【００４９】
以上によって、トレイ２の内部空間Ｓを仕切らない仕切部材３が完成し、１つの内部空間Ｓを有する仕切付き収容体１が完成する。
【００５０】
（内部空間を２分割する場合）
次に、内部空間Ｓを２分割する場合について説明する。図５に示すように、作業者は、第１仕切壁３０Ａ（第１基端調整部３１）を仕切折曲線Ｌ７に沿って前方に略直角に折り曲げる（第２の仕切折曲線Ｌ８や内枠折曲線Ｌ９では折り曲げない。）。ここで、仕切折曲線Ｌ７で折れた第１仕切壁３０Ａの前後方向の寸法は底壁１０の前後方向の寸法よりも長いため、このままでは第１仕切壁３０Ａをトレイ２の内部に配置することができない。そこで、作業者は、第１仕切壁３０Ａの前後方向の寸法をトレイ２（底壁１０）の前後方向の寸法に合わせるために、第１先端調整部３３を調整折返線Ｌ１０に沿って後方に折り返す。また、作業者は、第１先端調整部３３を折り返した後、ロック片部３５をロック折曲線Ｌ１１で折り曲げ、ロック片部３５の先端部を第１仕切本体部３２のロック凹部３４に嵌め込む。
【００５１】
以上のように、第１仕切壁３０Ａは、仕切折曲線Ｌ７に沿って折り曲げられることで支持壁２３から離間するように前後方向（仕切方向）に延設された仕切姿勢Ｐ２になる。また、仕切壁３０が調整折返線Ｌ１０に沿って折り返されることで、仕切姿勢Ｐ２での仕切壁３０の前後方向の寸法がトレイ２の前後方向の寸法に対応する。また、第１先端調整部３３が折り返される過程で、第１係合凸部３６は第１先端調整部３３から刳り貫かれ、相対的に第１仕切本体部３２の前端から前方に向かって突設される。さらに、ロック片部３５とロック凹部３４とが請求項でいう折返保持構造であり、ロック片部３５の先端部をロック凹部３４に嵌め込むことで、第１先端調整部３３が調整折返線Ｌ１０に沿って折り返された状態に保持される。これにより、折り返した第１先端調整部３３（第１仕切壁３０Ａの先端部分）が復元力で元に戻ることを抑制することができる。
【００５２】
次に、作業者は、内部空間Ｓを分割しない場合と同様に、一対の袖壁２２を外枠折曲線Ｌ５に沿って折り曲げると共に、第２仕切壁３０Ｂを内枠折曲線Ｌ９に沿って折り曲げる。この状態で、胴枠２０は平面から見て略Ｕ字状に形成され、第２仕切壁３０Ｂは平面から見て略Ｌ字状に屈曲した退避姿勢Ｐ１になる。Ｕ字状の胴枠２０と、退避姿勢Ｐ１になった第２仕切壁３０Ｂと、仕切姿勢Ｐ２になった第１仕切壁３０Ａとによって、仕切部材３は、平面から見て略Ｅ字状に形成される。
【００５３】
次に、作業者は、Ｅ字状に屈曲させた仕切部材３をトレイ２の内部に立設させる。作業者は、本体壁２１をトレイ２の背面壁１４に沿わせて配置し、一対の袖壁２２をトレイ２の一対の側壁１１に沿わせて配置し、仕切姿勢Ｐ２になった第１仕切壁３０Ａの第１係合凸部３６（先端部）をトレイ２の正面壁１３の中央の係合溝１７に嵌め込む（係合させる）。仕切姿勢Ｐ２になった第１仕切壁３０Ａは、トレイ２の底壁１０の左右方向の略中央に立設され、トレイ２の内部空間Ｓを略２等分に仕切る。
【００５４】
以上によって、トレイ２の内部空間Ｓを２分割にする仕切部材３が完成し、内部空間Ｓを２つの小間Ｓ１に分割された仕切付き収容体１が完成する。
【００５５】
（内部空間を３分割する場合）
次に、内部空間Ｓを３分割する場合について説明する。図６に示すように、作業者は、第１仕切本体部３２を第２の仕切折曲線Ｌ８に沿って前方に略直角に折り曲げる（仕切折曲線Ｌ７や内枠折曲線Ｌ９では折り曲げない。）。第１基端調整部３１は、本体壁２１に重ねられた状態とされている。内部空間Ｓを２分割する場合に比べて、支持壁２３に対して第１仕切壁３０Ａを折り曲げる位置が先端側にずれるため、第１先端調整部３３は折り返されずに第１仕切本体部３２の先端から延設された状態とする。また、作業者は、第２仕切壁３０Ｂを仕切折曲線Ｌ７に沿って前方に略直角に折り曲げる（内枠折曲線Ｌ９では折り曲げない。）。
【００５６】
以上のように、第１仕切壁３０Ａおよび第２仕切壁３０Ｂは、それぞれ、支持壁２３から離間するように前後方向に延設された仕切姿勢Ｐ２になる。支持壁２３と第１仕切壁３０Ａと第２仕切壁３０Ｂとは、平面から見て略Ｕ字形状を構成する。
【００５７】
次に、作業者は、内部空間Ｓを分割しない場合と同様に、一対の袖壁２２を外枠折曲線Ｌ５に沿って折り曲げ、略Ｕ字状の胴枠２０を構成する。一対の袖壁２２と、第１仕切壁３０Ａと、第２仕切壁３０Ｂとは、互いに略平行な姿勢となり、左右方向に略等間隔に並設される。
【００５８】
次に、作業者は、本体壁２１をトレイ２の背面壁１４に沿わせて配置し、一対の袖壁２２をトレイ２の一対の側壁１１に沿わせて配置する。また、作業者は、仕切姿勢Ｐ２になった第１仕切壁３０Ａの第１調整係合凸部３７をトレイ２の正面壁１３の左側の係合溝１７に嵌め込み、仕切姿勢Ｐ２になった第２仕切壁３０Ｂの第２係合凸部３８を右側の係合溝１７に嵌め込む。仕切姿勢Ｐ２になった２つの仕切壁３０は、トレイ２の底壁１０に立設され、トレイ２の内部空間Ｓを略３等分に仕切る。
【００５９】
以上によって、トレイ２の内部空間Ｓを３分割にする仕切部材３が完成し、内部空間Ｓを３つの小間Ｓ１に分割された仕切付き収容体１が完成する。なお、作業者は、完成した仕切付き収容体１の内部空間Ｓまたは小間Ｓ１に物品を収納する。
【００６０】
［仕切付き収容体の積層作用］
仕切付き収容体１は、上下方向に積層可能に構成されている。図７に示すように、２つの仕切付き収容体１を積み重ねた場合、下方に位置する仕切付き収容体１の側方連結凸部２５Ａと後方連結凸部２５Ｂとが、上方に位置する仕切付き収容体１の底壁１０に穿設された側方連結穴１８Ａと後方連結穴１８Ｂとに挿入される（係合する）。また、側方および後方連結穴１８Ａ，１８Ｂを貫通した側方および後方連結凸部２５Ａ，２５Ｂは、上方に位置する仕切付き収容体１の側方および後方逃し凹部２４Ａ，２４Ｂに嵌り込む。この構成によれば、２つの仕切付き収容体１が水平方向に移動することが規制され、積層状態を保持することができる。なお、図７では、２つの仕切付き収容体１を積層したが、３つ以上の仕切付き収容体１を積層してもよい。また、図７では、下方の仕切部材３が２つの小間Ｓ１を構成し、上方の仕切部材３が小間Ｓ１を構成していないが、各仕切壁３０の姿勢は自由に変更してよい。
【００６１】
以上説明した第１実施形態に係る仕切部材３では、２つの仕切壁３０が、トレイ２の内部空間Ｓを仕切らない退避姿勢Ｐ１と、内部空間Ｓを仕切る仕切姿勢Ｐ２との間で姿勢変更される構成とした。この構成によれば、２つの仕切壁３０が仕切姿勢Ｐ２になることで、トレイ２の内部空間Ｓを２〜３つの小間Ｓ１に分割することができる。一方で、２つの仕切壁３０が退避姿勢Ｐ１になることで、仕切られていない１つの内部空間Ｓを構成することができる。このように、仕切りが必要な場合にはトレイ２の内部空間Ｓを仕切ることができ、仕切りが必要ない場合には仕切部材３をトレイ２に収容したままで（トレイ２から取り外すことなく）１つの内部空間Ｓを構成することができる。これにより、用途に応じて自由に仕切り方を変更することができ、小間Ｓ１の数を変更することができる。
【００６２】
また、第１実施形態に係る仕切部材３では、第１仕切壁３０Ａが、２つの仕切折曲線Ｌ７，Ｌ８のいずれか１つに沿って折り曲げられることで仕切姿勢Ｐ２になる構成とした。この構成によれば、第１仕切壁３０Ａを折り曲げる位置を変えることで、第１仕切壁３０Ａが仕切姿勢Ｐ２となる位置（仕切の位置）を簡単に変更することができる。これにより、物品の大きさ等に応じて小間Ｓ１の大きさを変更することができる。
【００６３】
また、第１実施形態に係る仕切部材３では、仕切壁３０が、何れの仕切折曲線Ｌ７，Ｌ８に沿って折り曲げられたとしても、仕切姿勢Ｐ２での前後方向（仕切方向）の寸法がトレイ２の前後方向の寸法に対応するように、調整折返線Ｌ１０に沿って折り返される構成とした。この構成によれば、仕切壁３０が仕切姿勢Ｐ２となる位置を変更したとしても、仕切壁３０の前後方向の寸法が長すぎたり短すぎたりすることを防止することができる。これにより、トレイ２の内部空間Ｓを適切に仕切ることができる。
【００６４】
また、第１実施形態に係る仕切部材３では、一対の袖壁２２が本体壁２１の両端部に連設され、胴枠２０は平面から見て略Ｕ字状に形成されていた。この構成によれば、胴枠２０をトレイ２の底壁１０上に自立させることができ、各仕切壁３０の姿勢変更を安定して行うことができる。
【００６５】
また、第１実施形態に係る仕切付き収容体１によれば、仕切姿勢Ｐ２になった各仕切壁３０の先端部（第１係合凸部３６、第１調整係合凸部３７、第２係合凸部３８）がトレイ２の係合溝１７に嵌ることで、各仕切壁３０を仕切姿勢Ｐ２に保持することができる。
【００６６】
なお、第１実施形態に係る仕切付き収容体１では、上下に複数積層するために、トレイ２に側方および後方連結穴１８Ａ，１８Ｂが形成され、仕切部材３に側方および後方連結凸部２５Ａ，２５Ｂや側方および後方逃し凹部２４Ａ，２４Ｂが形成されていたが、本考案はこれに限定されない。仕切付き収容体１を積み重ねないのであれば、側方および後方連結穴１８Ａ，１８Ｂや側方および後方連結凸部２５Ａ，２５Ｂ等は省略（削除）されてもよい（図示せず）。また、側方および後方連結穴１８Ａ，１８Ｂや側方および後方連結凸部２５Ａ，２５Ｂ等の形成数、形成位置は自由に変更してもよい。
【００６７】
［第２実施形態］
図８ないし図１０を参照して、第２実施形態に係る仕切付き収容体５について説明する。図８は仕切付き収容体５を示す斜視図である。図９は仕切部材７を示す斜視図である。図１０は仕切部材７のブランク７Ａを示す平面図である。なお、第１実施形態に係る仕切付き収容体５と同一または対応する構成には同一の符号を付し、その説明は省略する。
【００６８】
［トレイ］
図８に示すように、トレイ６には、３つの係合溝１７が、正面壁１３の前内壁１３Ｃに加えて、背面壁１４の後内壁１４Ｃにも形成されている。トレイ６を組み立てた状態で、周壁６Ｗにおいて内部空間Ｓを挟んで互いに対向する内面には、６つの係合溝１７が形成されている。
【００６９】
［仕切部材］
図９および図１０に示すように、仕切部材７（ブランク７Ａ）には、本体壁２１に一対の支持壁２３が連設され、一対の支持壁２３に４つの仕切壁３０が連設されている点が、第１実施形態に係る仕切部材３と異なっている。
【００７０】
各袖壁２２の流れ方向の最大寸法は、トレイ２の底壁１０の流れ方向（前後方向）の寸法の略半分に設定されている。一対の支持壁２３は、本体壁２１の段方向（上下方向）の両端部に連設されている。一対の支持壁２３は、本体壁２１に対して折り返されて本体壁２１の両面に対向配置される。各々の支持壁２３の流れ方向（左右方向）の両端部には仕切壁３０が連設されている。つまり、第１仕切壁３０Ａと第２仕切壁３０Ｂとが２組設けられている。２組の第１および第２仕切壁３０Ａ，３０Ｂは、本体壁２１を挟んで同じ向きに配置され、同じ形状に形成されている。流れ方向に並んだ第１および第２仕切壁３０Ａ，３０Ｂと支持壁２３とを合わせた流れ方向の寸法は、本体壁２１の流れ方向の寸法と略同一である。なお、第２実施形態に係る仕切部材７では、第１仕切壁３０Ａから内枠折曲線Ｌ９が省略されている。
【００７１】
［仕切部材の組立およびトレイへの配置］
図８および図９に示すように、作業者は、一対の袖壁２２を外枠折曲線Ｌ５に沿って略直角に折り曲げ、胴枠２０を略Ｕ字状に屈曲させる。この仕切部材７では、一対の袖壁２２を折り曲げたとしても、４つの仕切壁３０は、折れ曲がらず、本体壁２１に沿って重ねられた退避姿勢Ｐ１に維持される（図９の第２仕切壁３０Ｂを参照）。次に、作業者は、Ｕ字状に屈曲させた仕切部材７をトレイ２の内部に立設させる。
【００７２】
＜内部空間を分割しない場合＞
トレイ２の内部空間Ｓを分割しない場合、本体壁２１を正面壁１３または背面壁１４に沿わせるように仕切部材７を配置する。なお、仕切部材７をトレイ２の底壁１０の前後方向の中間に配置することで、内部空間Ｓを前後方向に２分割することができる。
【００７３】
＜内部空間を分割する場合＞
作業者は、第１実施形態に係る仕切部材３の組立手順と同様の手順で、二対の仕切壁３０を退避姿勢Ｐ１と仕切姿勢Ｐ２との間で姿勢変更させる。例えば、図８および図９に示すように、前方の第１仕切壁３０Ａは第２の仕切折曲線Ｌ８に沿って略直角に折り曲げられ、前方の第２仕切壁３０Ｂは仕切折曲線Ｌ７に沿って略直角に折り曲げられている。一方で、後方の第１仕切壁３０Ａは、仕切折曲線Ｌ７に沿って略直角に折り曲げられ、第１先端調整部３３を調整折返線Ｌ１０に沿って折り返されている。また、ロック片部３５がロック凹部３４に係合し（図８および図９では図示せず）、第１先端調整部３３が折り返された状態に保持されている。また、後方の第２仕切壁３０Ｂは、退避姿勢Ｐ１となって本体壁２１に重なっている。
【００７４】
次に、作業者は、仕切部材７をトレイ２の内部に立設させる。本体壁２１は、トレイ２の底壁１０の前後方向の略中央に立設され、内部空間Ｓを前後方向に２分割にする。前方の第１および第２仕切壁３０Ａ，３０Ｂは、本体壁２１から前方に延設され、その先端部（第１調整係合凸部３７、第２係合凸部３８）を正面壁１３の係合溝１７に係合させている。これにより、前方の第１および第２仕切壁３０Ａ，３０Ｂは、前方の内部空間Ｓを左右方向に３つの小間Ｓ１に分割される（仕切られる）。後方の第１仕切壁３０Ａは、本体壁２１から後方に延設され、その先端部（第１係合凸部３６）を背面壁１４の係合溝１７に係合させている。これにより、後方の第１仕切壁３０Ａは、後方の内部空間Ｓを左右方向に２つの小間Ｓ１に分割される。
【００７５】
以上によって、内部空間Ｓを５つの小間Ｓ１に分割された仕切付き収容体５が完成する。なお、以上の説明は一例であって、二対の仕切壁３０の姿勢を適宜変更することで、仕切部材７は、トレイ６の内部空間Ｓを０〜６つの小間Ｓ１に分割することができる（図示せず）。
【００７６】
以上説明した第２実施形態に係る仕切部材７によれば、用途に応じて自由に仕切り方を変更することができ、小間Ｓ１の数を変更することができる等、第１実施形態に係る仕切部材３と同様の効果を得ることができる。
【００７７】
なお、第１および第２実施形態に係る仕切部材３，７では、１つの支持壁２３に対して一対の仕切壁３０が支持壁２３の左右両端部に連設されていたが、本考案はこれに限定されない。仕切壁３０は、各々の支持壁２３の左右両端部のうち何れか一方に連設されていればよい（図示せず）。また、周壁２Ｗ，６Ｗには、仕切姿勢Ｐ２になった仕切壁３０の前後方向の先端部が係合する係合溝１７が１つ以上形成されていればよい。
【００７８】
また、第１および第２実施形態に係る仕切部材３，７では、２つの仕切折曲線Ｌ７，Ｌ８が第１仕切壁３０Ａに形成されていたが、本考案はこれに限定されない。例えば、第２の仕切折曲線Ｌ８を省略（削除）し、第１仕切壁３０Ａに仕切折曲線Ｌ７のみを形成してもよい（図示せず）。つまり、第１仕切壁３０Ａと第２仕切壁３０Ｂとが、支持壁２３を軸とした対称形状とされてもよい。この場合、調整折返線Ｌ１０や第１係合凸部３６等は省略され、第１仕切壁３０Ａの前後方向の寸法をトレイ２，６の前後方向の寸法に合わせて設計することが好ましい。
【００７９】
また、他にも、第１仕切壁３０Ａに３つ以上の仕切折曲線Ｌ７，Ｌ８を形成し、第１仕切壁３０Ａが３つ以上の仕切折曲線Ｌ７，Ｌ８のいずれか１つに沿って折り曲げられることで仕切姿勢Ｐ２になる構成としてもよい（図示せず）。この場合、第１仕切壁３０Ａが、何れの仕切折曲線Ｌ７，Ｌ８に沿って折り曲げられたとしても、トレイ２，６の内部空間Ｓを仕切ることができるように、２つ以上の調整折返線Ｌ１０が形成されることが好ましい（図示せず）。また、この場合、第１仕切壁３０Ａが、何れの仕切折曲線Ｌ７，Ｌ８および何れの調整折返線Ｌ１０に沿って折り曲げられたとしても、係合溝１７に係合するように複数の第１調整係合凸部３７が形成されることが好ましい（図示せず）。
【００８０】
また、第１仕切壁３０Ａと同様に、第２仕切壁３０Ｂに、複数の仕切折曲線Ｌ７，Ｌ８や調整折返線Ｌ１０等を形成してもよい（図示せず）。
【００８１】
また、第１および第２実施形態に係る仕切部材３，７では、本体壁２１の左右両端部に一対の袖壁２２が連設されていたが、本考案はこれに限定されない。例えば、１つの袖壁２２が、本体壁２１の左右両端部のうち何れか一方に連設されてもよい（図示せず）。この場合、胴枠２０は、略Ｌ字状に形成される。また、袖壁２２を省略（削除）し、胴枠２０が本体壁２１と支持壁２３とから構成されてもよい（図示せず）。さらに、本体壁２１を省略（削除）し、胴枠２０が支持壁２３のみで構成されてもよい（図示せず）。
【００８２】
なお、第１および第２実施形態に係る仕切付き収容体１，５では、１つのトレイ２，６に、１つの仕切部材３，７が収容されていたが、本考案はこれに限定されない。例えば、１つのトレイ２，６に、複数の仕切部材３，７が収容されてもよい（図示せず）。具体的な一例としては、第１実施形態に係る２つの仕切部材３の本体壁２１同士を背中合わせに配置することで、第２実施形態に係る仕切部材７と同様の構造とすることができる（図示せず）。
【００８３】
また、第１および第２実施形態に係る仕切付き収容体１，５では、箱体の一例としてのトレイ２，６が採用されていたが、本考案はこれに限定されない。箱体の他の例として、角筒状の周壁の底面をフラップで閉じる半Ａ式の包装箱であってもよいし、角筒状の周壁の上下両面をフラップで閉じるＡ式の包装箱であってもよい（図示せず）。その他、箱体は、仕切部材３，７を収容可能な内部空間Ｓを有する形状であればよい。
【００８４】
なお、上記実施形態の説明は、本考案に係る仕切部材およびこれを備えた仕切付き収容体における一態様を示すものであって、本考案の技術範囲は、上記実施形態に限定されるものではない。
【符号の説明】
【００８５】
１，５      仕切付き収容体
２，６      トレイ（箱体）
２Ｗ，６Ｗ  周壁
３，７      仕切部材
１０      底壁
１８Ａ    側方連結穴（連結穴）
１８Ｂ    後方連結穴（連結穴）
２０      胴枠
２１      本体壁
２２      袖壁
２３      支持壁
２５Ａ    側方連結凸部（連結凸部）
２５Ｂ    後方連結凸部（連結凸部）
３０      仕切壁
３０Ａ    第１仕切壁
３０Ｂ    第２仕切壁
３４      ロック凹部（折返保持構造）
３５      ロック片部（折返保持構造）
Ｌ７      仕切折曲線
Ｌ８      第２の仕切折曲線
Ｌ１０    調整折返線
Ｐ１      退避姿勢
Ｐ２      仕切姿勢
Ｓ        内部空間
【図１】
0003222571.tif 000003
【図２】
0003222571.tif 000004
【図３】
0003222571.tif 000005
【図４】
0003222571.tif 000006
【図５】
0003222571.tif 000007
【図６】
0003222571.tif 000008
【図７】
0003222571.tif 000009
【図８】
0003222571.tif 000010
【図９】
0003222571.tif 000011
【図１０】
0003222571.tif 000012